(57)【特許請求の範囲】
【請求項１】
下記一般式（１）：
【化１】
0003962467.tif 000006
（一般式（１）において、Ｒ1 は、水素原子、低級アルキル基又はハロゲン原子を表す。）
で示される１，４−ジヒドロキシ−２−ナフトエ酸類と、下記一般式（２）：
【化２】
0003962467.tif 000007
（一般式（２）において、Ｒ2 は、水素原子、アルキル基又はハロゲン原子を表す。）
で示されるトリアリール亜リン酸エステル類とを、トリフルオロメタンスルホン酸存在下反応させて、下記一般式（３）：
【化３】
0003962467.tif 000008
（一般式（３）において、Ｒ1 及びＲ2 は、それぞれ前記と同義である。）
で示される１，４−ジヒドロキシ−２−ナフトエ酸アリールエステル類を得ることを特徴とする、１，４−ジヒドロキシ−２−ナフトエ酸アリールエステル類の製造方法。
【請求項２】
前記１，４−ジヒドロキシ−２−ナフトエ酸類１モルに対して、トリフルオロメタンスルホン酸を０．０１〜０．１０モル用いる、請求項１に記載の製造方法。
【請求項３】
前記１，４−ジヒドロキシ−２−ナフトエ酸類１モルに対して、前記トリアリール亜リン酸エステル類を２〜３．５モル用いる、請求項１又は２項に記載の製造方法。
【請求項４】
２５〜３５℃で反応させる、請求項１〜３項のうちのいずれか１項に記載の製造方法。
【発明の詳細な説明】
【０００１】
【発明の属する技術分野】
本発明は、１，４−ジヒドロキシ−２−ナフトエ酸アリールエステル類の製造方法に関し、さらに詳しくは、１，４−ジヒドロキシ−２−ナフトエ酸類とトリアリール亜リン酸エステル類とから、１，４−ジヒドロキシ−２−ナフトエ酸アリールエステル類を簡便かつ工業的に製造する方法に関する。
１，４−ジヒドロキシ−２−ナフトエ酸アリールエステル類は、写真薬、染料、顔料の製造中間体として有用なものである。
【０００２】
【従来の技術】
従来、１，４−ジヒドロキシ−２−ナフトエ酸アリールエステルのような多環式オキシカルボン酸アリールエステルの製造法としては、多環式オキシカルボン酸とフェノール類とを脱水反応させてエステル化する方法が知られている。この反応においては、通常のエステル化反応で用いられる強酸触媒は、カルボン酸の分解を伴うため使用できず、脱水剤として、三塩化リン、オキシ塩化リン、五塩化リンなどが使用されてきた。しかしながら、これらの方法では、製品に着色が見られ、製造工程に手間を要し、またフェノール類の除去など反応後の処理がきわめて煩雑であり、工業的に有利な製造方法ではなかった。
【０００３】
この問題を解決する方法として、例えば、特公平５−５５４９４号公報によれば、反応剤としてトリアリール亜リン酸エステルを用いる方法が記載されている。しかしながら、同号公報に記載の方法では、９０〜１５０℃という高温での反応が必要であり、また、相当量の副生物（主として下記化学式で表されるダイマー成分）が生成するために、目的物を高純度で得るには、一旦得られた粗製生成物を精製する必要があった。
【０００４】
【化４】
0003962467.tif 000002
【０００５】
また、例えば、特開平３−５２８４８号公報、特開平３−２０４８３９号公報によれば、反応剤としてトリアリール亜リン酸エステルを用い、触媒としてｐ−トルエンスルホン酸やメタンスルホン酸を用い、４０〜８５℃で反応を行う方法が記載されている。しかしながら、同号公報に記載の方法でもやはり、上記のダイマー副生物を７．５〜１０％程度含む粗製生成物しか得られていない。
【０００６】
このように、従来の方法によれば、エステル化反応の選択性が悪いために、粗製生成物の精製操作が必要であり、工業的に適する製造方法ではなかった。
【０００７】
【発明が解決しようとする課題】
そこで、本発明の目的は、上記従来技術の問題点を解決し、特別な精製操作を必要とせず、１，４−ジヒドロキシ−２−ナフトエ酸アリールエステル類を高純度・高収率で簡便かつ工業的に製造する方法を提供することにある。
【０００８】
【課題を解決するための手段】
反応剤としてトリアリール亜リン酸エステル類を用いた場合の反応選択性を向上させるためには、反応を低温で行うことが好ましいと考えられる。本発明者らは鋭意検討した結果、触媒としてトリフルオロメタンスルホン酸を用いることにより、反応速度が飛躍的に増大し、低温条件でエステル化反応が可能となることを見出した。そして、その結果、エステル化反応の選択性を向上させてダイマー副生物の生成を抑制することができ、特別な精製操作を要することなく、１，４−ジヒドロキシ−２−ナフトエ酸アリールエステル類が高純度・高収率で得られることを見出し、本発明を完成するに至った。
【０００９】
すなわち、本発明の１，４−ジヒドロキシ−２−ナフトエ酸アリールエステル類の製造方法は、下記一般式（１）：
【００１０】
【化５】
0003962467.tif 000003
【００１１】
（一般式（１）において、Ｒ1 は、水素原子、低級アルキル基又はハロゲン原子を表す。）
で示される１，４−ジヒドロキシ−２−ナフトエ酸類と、下記一般式（２）：
【００１２】
【化６】
0003962467.tif 000004
【００１３】
（一般式（２）において、Ｒ2 は、水素原子、アルキル基又はハロゲン原子を表す。）
で示されるトリアリール亜リン酸エステル類とを、トリフルオロメタンスルホン酸存在下反応させて、下記一般式（３）：
【００１４】
【化７】
0003962467.tif 000005
【００１５】
（一般式（３）において、Ｒ1 及びＲ2 は、それぞれ前記と同義である。）
で示される１，４−ジヒドロキシ−２−ナフトエ酸アリールエステル類を得ることを特徴とする。
【００１６】
本発明において、前記１，４−ジヒドロキシ−２−ナフトエ酸類１モルに対して、トリフルオロメタンスルホン酸を０．０１〜０．１０モル用いることが好ましい。
また、前記１，４−ジヒドロキシ−２−ナフトエ酸類１モルに対して、前記トリアリール亜リン酸エステル類を２〜３．５モル用いることが好ましい。
また、２５〜３５℃で反応させることが好ましい。
以下、本発明について詳しく説明する。
【００１７】
本発明の方法においては、原料化合物として前記一般式（１）で示される１，４−ジヒドロキシ−２−ナフトエ酸類を用いる。
一般式（１）において、Ｒ1 は、水素原子、低級アルキル基又はハロゲン原子を表す。このような低級アルキル基としては、例えば、メチル基、エチル基、プルピル基、イソプルピル基、ブチル基、イソブチル基、sec-ブチル基、tert−ブチル基等が挙げられる。また、ハロゲン原子としては、フッ素、塩素、臭素が挙げられる。好ましいＲ1 は水素原子である。Ｒ1 の位置は任意である。
【００１８】
また、本発明の方法においては、原料化合物として前記一般式（２）で示されるトリアリール亜リン酸エステル類を用いる。
一般式（２）で示されるトリアリール亜リン酸エステル類は、例えば、特公昭５８−２２０２１号公報、特開昭６４−４５３４１号公報に記載の方法によって製造することができる化合物であり、すなわち、三塩化リン１モルに対し少なくとも３モルのフェノール類を反応させて得られる化合物である。
【００１９】
一般式（２）において、Ｒ2 は、水素原子、アルキル基又はハロゲン原子を表す。このようなアルキル基としては、炭素数１〜２０のアルキル基、好ましくは炭素数１〜１０程度の低級アルキル基が挙げられ、例えば、メチル基、エチル基、プルピル基、イソプルピル基、ブチル基、イソブチル基、sec-ブチル基、tert−ブチル基等が挙げられる。また、ハロゲン原子としては、フッ素、塩素、臭素、ヨウ素が挙げられる。好ましいＲ2 は水素原子である。Ｒ2 の位置は任意である。
【００２０】
トリアリール亜リン酸エステル類の具体例としては、トリフェニルホスファイト、トリ（クロロフェニル）ホスファイト、トリ（ブロモフェニル）ホスファイト、トリ（ヨードフェニル）ホスファイト、トリ（メチルフェニル）ホスファイト等が挙げられる。
【００２１】
一般式（３）におけるＲ1 及びＲ2 は、それぞれ前記と同義であり、用いた原料化合物に応じたものである。
【００２２】
本発明の特徴は、１，４−ジヒドロキシ−２−ナフトエ酸類とトリアリール亜リン酸エステル類とを反応させるに当たり、触媒としてトリフルオロメタンスルホン酸を用いることにある。
【００２３】
触媒としてトリフルオロメタンスルホン酸を用いることにより、２５〜３５℃という低温条件でエステル化反応を行わせることが可能となり、反応選択性が向上し、ダイマー副生物の生成を抑制することができる。本方法によれば、反応におけるダイマー副生物の生成量は、１，４−ジヒドロキシ−２−ナフトエ酸類に対して、多くとも３〜５％程度である。
【００２４】
本発明において、トリフルオロメタンスルホン酸は、１，４−ジヒドロキシ−２−ナフトエ酸類１モルに対して、０．０１〜０．１０モル用いることが好ましい。この量が０．０１モル未満であると、添加の効果が少なく反応に時間がかかる。一方、０．１０モルまでの量で、十分な触媒効果が得られるので、これより多い量を用いる必要はない。
【００２５】
また、トリアリール亜リン酸エステル類は、１，４−ジヒドロキシ−２−ナフトエ酸類１モルに対して、好ましくは０．９〜３．５モル、より好ましくは２．０〜３．５モルの範囲で用いる。この量が０．９モル未満であると、収率が低下し、一方、３．５モルを超えると、反応後のアリール亜リン酸エステルの処理が問題となりやすい。
【００２６】
本発明において、トリフルオロメタンスルホン酸触媒の添加効果によって、反応温度は２５〜３５℃で実施することができる。また、反応時間に特に制限はなく、原料の１，４−ジヒドロキシ−２−ナフトエ酸類が残存しなくなるまで、反応を行えば良い。
【００２７】
本発明の方法は、反応溶媒を用いて実施することもできる。反応溶媒としては、例えば、トルエン、キシレン、エチルベンゼン等の芳香族炭化水素、モノクロロベンゼン、ジクロロベンゼン等のハロゲン化炭化水素、メチルエチルケトン等のケトン類が挙げられる。
【００２８】
本方法においては、反応選択性の向上により、反応生成物の単離は非常に簡便である。すなわち、例えば、反応マス（反応混合液）を水中に排出し、加温攪拌して亜リン酸触媒を加水分解処理した後、トルエン等の有機溶媒を加え分液、洗浄により、亜リン酸を除去する。分取した有機層から触媒由来のフェノール類を減圧留去し、これにトルエン等を加え冷却することにより、析出した結晶を濾取する。このような簡便な操作によって、目的とする１，４−ジヒドロキシ−２−ナフトエ酸アリールエステル類を９９％以上の高純度で得ることができる。
【００２９】
本発明の製造方法によれば、１，４−ジヒドロキシ−２−ナフトエ酸類とトリアリール亜リン酸エステル類とを反応させてエステル化するに当たり、トリフルオロメタンスルホン酸を触媒として用いるので、低温での反応が可能となり、反応選択性が向上し、副生成物の生成が非常に少ない。そのため、高純度の反応生成物の単離を、従来法のような特別な精製操作を必要とせず、非常に簡便に短時間で行うことができる。
【００３０】
【実施例】
以下、実施例により本発明をさらに具体的に説明するが、本発明はこの実施例により何ら限定されるものではない。
［実施例１］
攪拌機、温度計を取り付けた５００ｍＬの反応器に、トリフェニルホスファイト２８７ｇ（０．９３ｍｏｌ）、１，４−ジヒドロキシ−２−ナフトエ酸６１ｇ（０．３０ｍｏｌ）及びトリフルオロメタンスルホン酸１．５ｇ（０．０１ｍｏｌ）を仕込み、２３〜２８℃で２０時間反応を行った。内容物は褐色透明の液状となり、反応は完結した。反応終点の判定は、高速液体クロマトグラフィー（ＨＰＬＣ）により、１，４−ジヒドロキシ−２−ナフトエ酸が残存していないことを確認して行った。
【００３１】
次いで、内容物を６０℃、４５ｇの温水に滴下し、７０℃で２．５時間攪拌した。亜リン酸触媒の加水分解の終了をＨＰＬＣにより確認した後、トルエン６０ｍｌを加え、反応混合物を７０℃で静置し、分液した。水層を除去し、有機層を１２．５％食塩水８０ｇで洗浄した。
【００３２】
有機層に含まれる低沸点物（トルエン、水など）を減圧留去した後、フェノール１２６ｇを減圧留去（８０〜８５℃／１３〜１５ｍｍＨｇ）。フェノール留去後、トルエンを１２５．６ｇ加えて、約２時間で３０℃にまで冷却し、結晶を析出させた。結晶を濾過により分離した後、トルエン５０ｍｌで洗浄した。さらに、１０％メタノール水１００ｇ、水１００ｇで洗浄した後、乾燥し、１，４−ジヒドロキシ−２−ナフトエ酸フェニル７５．４ｇを得た。収率は１，４−ジヒドロキシ−２−ナフトエ酸に対して９０．０％であった。
【００３３】
ＨＰＬＣ分析の結果、得られた１，４−ジヒドロキシ−２−ナフトエ酸フェニルの純度は、９９．６％であった。
このように、簡便な操作で、高収率かつ高純度の１，４−ジヒドロキシ−２−ナフトエ酸フェニルを製造することができた。
【００３４】
【発明の効果】
本発明の製造方法によれば、上述のように、目的とする１，４−ジヒドロキシ−２−ナフトエ酸アリールエステル類を、従来法に比べて副反応を抑制して、高収率、高純度で得ることができる。
従って、本発明の方法は、１，４−ジヒドロキシ−２−ナフトエ酸アリールエステル類の簡便かつ工業的に優れた製造方法である。